(57)【要約】【課題】ガスの総使用量とガス遮断装置が複数保持している変化量の和が乖離することを回避すること。【解決手段】流量検出部１１と、流量算出部１２、増減算出部１３、増減判定部１４、弁駆動部１５、弁１６、乖離判定部１７と、増減補正部１８と、常時乖離判定部１９とを備え、増減判定部１４が乖離判定部１７または常時乖離判定部１９で段階的に判定した乖離値Ｈに基づき増減補正部１８が算出した補正済み変化量Ｇを取得し、新たな変化量Ｃとして採用することでガス通路を閉栓するまでのガスの使用時間が長くなることを防止できる。【選択図】図１
2010216716.tif 000002
【特許請求の範囲】
【請求項１】
ガス通路内を通過するガス流量に対応して流量信号を出力する流量検出部と、前記流量検出部の前記流量信号を受け取ると流量を算出する流量算出部と、前記流量算出部の前記流量を受け取ると前回取得した前記流量の値と今回取得した前記流量とを比較し、変化があれば変化量を出力する増減算出部と、増減判定部の増減処理済信号を受け取ると、前記増減判定部が複数保持している前記変化量を全て取得し、取得した前記変化量の和と前記流量算出部の前記流量との差を乖離値として算出し、前記流量算出部の前記流量の大きさに基づいて抽出した乖離幅判定値と前記乖離値とを比較し、前記乖離幅判定値以上の前記乖離値がなければ前記乖離値をゼロとし、前記乖離幅判定値以上の前記乖離値があれば前記乖離値を出力する乖離判定部と、前記乖離判定部の前記乖離値を取得し、前記乖離値がゼロでなければ前記増減判定部が複数保持している中の一番大きな前記変化量に前記乖離値を加減算して補正済み変化量を出力する増減補正部と、前記増減算出部が出力した前記変化量が増加量であれば新たなガス器具の使用を開始したとして前記変化量を追加して保持し、減少量であればガス器具の使用を停止したとして保持している中で一番近しい前記変化量を削除しながら複数の前記変化量を管理して前記増減処理済信号を出力し、前記増減補正部の前記補正済み変化量を取得すると保持している一番大きな前記変化量を削除して前記補正済み変化量を新たな前記変化量として保持して、保持している一番大きな前記変化量に基づき使用時間を抽出するとともに計時を開始し、再び前記増減算出部の前記変化量を取得する前に前記使用時間が経過すると弁駆動信号を出力する前記増減判定部と、前記増減判定部の前記弁駆動信号を受け取ると閉栓信号を出力する弁駆動部と、前記弁駆動部の前記閉栓信号を受け取るとガス通路を閉栓する弁とを備えたことを特徴としたガス遮断装置。
【請求項２】
ガス通路内を通過するガス流量に対応して流量信号を出力する流量検出部と、前記流量検出部の前記流量信号を受け取ると流量を算出する流量算出部と、前記流量算出部の前記流量を受け取ると前回取得した前記流量の値と今回取得した前記流量とを比較し、変化があれば変化量を出力する増減算出部と、前記増減算出部の前記変化量を受け取ると前記流量算出部の前記流量を取得して基準値として保持し、新たな前記流量算出部の前記流量を取得するごとに前記基準値との差を乖離値として算出し、前記流量算出部の前記流量の大きさに基づいて抽出した乖離幅判定値と前記乖離値とを比較し、前記乖離幅判定値以上の前記乖離値がなければ前記乖離値をゼロとし、前記乖離幅判定値以上の前記乖離値があれば前記乖離値を出力し前記流量算出部の前記流量を再び取得して前記基準値とする常時乖離判定部と、前記常時乖離判定部の前記乖離値を取得し、前記乖離値がゼロでなければ前記増減判定部が複数保持している中の一番大きな前記変化量に前記乖離値を加減算して補正済み変化量を出力する増減補正部と、前記増減算出部が出力した前記変化量が増加量であれば新たなガス器具の使用を開始したとして前記変化量を追加して保持し、減少量であればガス器具の使用を停止したとして保持している中で一番近しい前記変化量を削除しながら複数の前記変化量を管理し、前記増減補正部の前記補正済み変化量を取得すると保持している一番大きな前記変化量を削除して前記補正済み変化量を新たな前記変化量として保持して、保持している一番大きな前記変化量に基づき使用時間を抽出するとともに計時を開始し、再び前記増減算出部の前記変化量または前記増減補正部の前記補正済み変化量の少なくともどちらか一方を取得する前に前記使用時間が経過すると弁駆動信号を出力する前記増減判定部と、前記増減判定部の前記弁駆動信号を受け取ると閉栓信号を出力する弁駆動部と、前記弁駆動部の前記閉栓信号を受け取るとガス通路を閉栓する弁とを備えたことを特徴としたガス遮断装置。
【発明の詳細な説明】
【技術分野】
【０００１】
本発明はガス遮断装置の流量監視機能を向上させるものである。
【背景技術】
【０００２】
従来、この種のガス遮断装置は、特許文献１に記載するような構成として先行技術文献に記載されている。
【０００３】
図４は、特許文献１に記載された従来のガス遮断装置を示すものである。図４に示すように、ガス通路内を通過するガス流量に対応して流量信号ａを出力する流量検出部１と、前記流量検出部１の前記流量信号ａを受け取ると流量ｂを算出する流量算出部２と、前記流量算出部２の前記流量ｂを受け取ると、前回取得した前記流量ｂの値と今回取得した前記流量ｂとを比較し、変化がある場合に変化量ｃを出力する増減算出部３と、前記増減算出部３が出力した前記変化量ｃが増加量であれば新たなガス器具の使用を開始したとして前記変化量ｃを追加して保持し、減少量であればガス器具の使用を停止したとして保持している中で一番近しい前記変化量ｃを削除しながら複数の前記変化量ｃを管理し、複数保持している変化量ｃを大きなものから順番にならべ直し、ならべ直したあと保持している一番大きな前記変化量ｃに基づき算出した使用時間を抽出するとともに計時を開始し、再び前記増減算出部３の前記変化量ｃを取得する前に前記使用時間が経過すると弁駆動信号ｄを出力する増減判定部４と、前記増減判定部４の前記弁駆動信号ｄを受け取ると閉栓信号ｅを出力する弁駆動部５と、前記弁駆動部５の前記閉栓信号ｅを受け取るとガス通路を閉栓する弁とから構成されている（例えば、特許文献１参照）。
【特許文献１】特開昭６１−２８９２２７号公報
【発明の開示】
【発明が解決しようとする課題】
【０００４】
特許文献１にはガス遮断装置が複数保持している変化量の追加と削除について記載されているが変化量の補正に関する記述はない。しかし背景技術としてはこの変化量の取扱いを記述しているため例示している。
【０００５】
しかしながら、前記従来の構成では実際に使用されているガスの総使用量が減少したときガス遮断装置が複数保持している中の近しい変化量を削除しているため、変化量を削除したときに実際に使用しているガスの総使用量とガス遮断装置に複数保持している変化量の和に誤差が発生するのは周知の事実である。すなわち、図２は器具１の「器１」、器具２の「器２」、器具３の「器３」の３つ器具が使われているガスの総使用量を示すものである。
【０００６】
図２（ａ）のように順に「器１」が使用開始し、「器２」が使用開始し、「器３」が使用開始し、ガスの総使用量が減少した場合、図２（ｂ）のように「器１」、「器１」＋「器２」、「器１」＋「器２」＋「器３」とガス総使用量が増加する場合には良いが、ガスの総使用量が減少すると近しいガス器具を「器２」と推定して削除するために、実際の減少量に対して「器２」で登録されている使用量が大きいと、この誤差（本例では不足分）が発生することとなった。
【０００７】
この様にガスの総使用量が減少するつど誤差（本例では不足分）が発生する場合があり、誤差の和も増加する可能性（実際に減った量の方が大きくなる逆のパターンもあり、バランスが保たれることもある）があった。この誤差の和が大きくなるとガス遮断装置で複数保持している変化量の和が小さくなるため、必然的にそのなかの一番大きな変化量自体
も実際のガス器具の使用量とかけ離れた小さな値となってしまう。この実際のガス器具とかけ離れて小さくなった変化量に基づき使用時間を抽出するとガス通路を閉栓するまでの時間が長くなるのは周知の事実である（給湯器やファンヒーター等のガス器具の種類毎に定まられている使用量と使用時間は反比例（ガスの使用量が大きいものは短い時間で、ガスの使用量が少ないものは長い時間となっている）の関係にあるため）。このため、本来ガス通路を閉栓する時間よりも遅くなるためガスの使用上不安全になる可能性があるという課題を有していた。
【０００８】
本発明は、前記従来の課題を解決するもので、図２（ｃ）に示すようにガス遮断装置が保持している一番大きな変化量（本例では「器３」）に不足分（本例では補正量）を加味（削除する近しい変化量と減少した変化量の大小関係が逆の場合は一番大きな変化量から不足分を引くこととなる）ことで実際のガス総使用量とガス遮断装置が複数保持している変化量の和との齟齬と乖離を補正することを目的とする。
【課題を解決するための手段】
【０００９】
前記従来の課題を解決するために、本発明のガス遮断装置は、増減判定部１４が増減補正部１８から流量Ｂに基づき段階的に設けた乖離幅判定値以上の乖離値Ｈが発生したときに出力される補正済み変化量Ｇを取得することで一番大きな変化量を削除し、新たな変化量Ｃとして保持することにしたものである。
【００１０】
これによって、ガス遮断装置は実際に使われているガスの総使用量とガス遮断装置が複数保持している変化量の和との齟齬と乖離を補正することができる。
【発明の効果】
【００１１】
本発明のガス遮断装置は従来の一番大きな変化量でガスの使用時間を抽出すると同時に、実際に使われているガスの総使用量とガス遮断装置が複数保持している変化量の和とに齟齬と乖離が発生したときに、その差を是正することが可能となり、ガス通路を閉栓するまでの時間が齟齬と乖離により長くなることを防止（一番大きな変化量を削除し補正済み変化量を新たな変化量として保持することで実際に使用している最大のガス器具の使用量よりもガス遮断装置が保持している一番大きな変化量の方が大きくなる可能性があるが、仮に大きくなってもガス通路を閉栓するまでの時間が短くなるため、ガス器具のつけっ放しを早めに停止できるので安全性を確保することができる）することができ、利便性と安全性の両立を図ることができる。
【発明を実施するための最良の形態】
【００１２】
第１の発明は、ガス通路内を通過するガス流量に対応して流量信号を出力する流量検出部と、前記流量検出部の前記流量信号を受け取ると流量を算出する流量算出部と、前記流量算出部の前記流量を受け取ると前回取得した前記流量の値と今回取得した前記流量とを比較し、変化があれば変化量を出力する増減算出部と、増減判定部の増減処理済信号を受け取ると、前記増減判定部が複数保持している前記変化量を全て取得し、取得した前記変化量の和と前記流量算出部の前記流量との差を乖離値として算出し、前記流量算出部の前記流量の大きさに基づいて抽出した乖離幅判定値と前記乖離値とを比較し、前記乖離幅判定値以上の前記乖離値がなければ前記乖離値をゼロとし、前記乖離幅判定値以上の前記乖離値があれば前記乖離値を出力する乖離判定部と、前記乖離判定部の前記乖離値を取得し、前記乖離値がゼロでなければ前記増減判定部が複数保持している中の一番大きな前記変化量に前記乖離値を加減算して補正済み変化量を出力する増減補正部と、前記増減算出部が出力した前記変化量が増加量であれば新たなガス器具の使用を開始したとして前記変化量を追加して保持し、減少量であればガス器具の使用を停止したとして保持している中で一番近しい前記変化量を削除しながら複数の前記変化量を管理して前記増減処理済信号を出力し、前記増減補正部の前記補正済み変化量を取得すると保持している一番大きな前記
変化量を削除して前記補正済み変化量を新たな前記変化量として保持して、保持している一番大きな前記変化量に基づき使用時間を抽出するとともに計時を開始し、再び前記増減算出部の前記変化量を取得する前に前記使用時間が経過すると弁駆動信号を出力する前記増減判定部と、前記増減判定部の前記弁駆動信号を受け取ると閉栓信号を出力する弁駆動部と、前記弁駆動部の前記閉栓信号を受け取るとガス通路を閉栓する弁とを備えたことにより、前記乖離判定部の前記乖離値に基づき前記増減補正部が前記流量算出部の前記流量と前記増減判定部が保持している複数の前記変化量との整合を取ることで齟齬と乖離を防止することができる。
【００１３】
第２の発明は、ガス通路内を通過するガス流量に対応して流量信号を出力する流量検出部と、前記流量検出部の前記流量信号を受け取ると流量を算出する流量算出部と、前記流量算出部の前記流量を受け取ると前回取得した前記流量の値と今回取得した前記流量とを比較し、変化があれば変化量を出力する増減算出部と、前記増減算出部の前記変化量を受け取ると前記流量算出部の前記流量を取得して基準値として保持し、新たな前記流量算出部の前記流量を取得するごとに前記基準値との差を乖離値として算出し、前記流量算出部の前記流量の大きさに基づいて抽出した乖離幅判定値と前記乖離値とを比較し、前記乖離幅判定値以上の前記乖離値がなければ前記乖離値をゼロとし、前記乖離幅判定値以上の前記乖離値があれば前記乖離値を出力し前記流量算出部の前記流量を再び取得して前記基準値とする常時乖離判定部と、前記常時乖離判定部の前記乖離値を取得し、前記乖離値がゼロでなければ前記増減判定部が複数保持している中の一番大きな前記変化量に前記乖離値を加減算して補正済み変化量を出力する増減補正部と、前記増減算出部が出力した前記変化量が増加量であれば新たなガス器具の使用を開始したとして前記変化量を追加して保持し、減少量であればガス器具の使用を停止したとして保持している中で一番近しい前記変化量を削除しながら複数の前記変化量を管理し、前記増減補正部の前記補正済み変化量を取得すると保持している一番大きな前記変化量を削除して前記補正済み変化量を新たな前記変化量として保持して、保持している一番大きな前記変化量に基づき使用時間を抽出するとともに計時を開始し、再び前記増減算出部の前記変化量または前記増減補正部の前記補正済み変化量の少なくともどちらか一方を取得する前に前記使用時間が経過すると弁駆動信号を出力する前記増減判定部と、前記増減判定部の前記弁駆動信号を受け取ると閉栓信号を出力する弁駆動部と、前記弁駆動部の前記閉栓信号を受け取るとガス通路を閉栓する弁とを備えたことにより、前記常時乖離判定部の前記乖離値に基づき前記増減補正部が前記流量算出部の前記流量を監視し齟齬と乖離を防止することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１におけるガス遮断装置の機能ブロック図を示すものである。
【００１６】
図１において、流量検出部１１は、ガス通路内を通過するガス流量（例えば、ガス通路内に対向した超音波センサを取り付け超音波の伝播時間の違いからガス流量を検知してもよいし、ガス通路内にガスが流れる経路を作成しガスが経路を流れるときに発生する振動からガス流量を検知してもよいし、ガスの通過量を計量し一定の通過量に達する毎にガス流量として検出するようにしても同様の効果が得られる）に対応して流量信号Ａを出力する。
【００１７】
流量算出部１２は、流量検出部１１の流量信号Ａを受け取ると流量Ｂを算出する。
【００１８】
増減算出部１３は、流量算出部１２の流量Ｂを受け取ると前回取得した流量Ｂの値と今
回取得した流量Ｂとを比較し、変化がなければ何も実施しないで、変化があれば（例えば、所定の差分値以上で判定しても良いし、変化率で判定しても同様の効果が得られる）変化量Ｃを出力する。
【００１９】
乖離判定部１７は、増減判定部１４の増減処理済信号Ｆを受け取ると、増減判定部１４が複数保持している変化量Ｃを全て取得し（例えば、図２（ｃ）のガスの総使用量が減少した時点では「器１」と「器３」のデータとなる）、取得した変化量Ｃの和と流量算出部１２の流量Ｂとの差を乖離値Ｈとして算出し、流量算出部１２の流量Ｂの大きさに基づいて抽出した乖離幅判定値（例えば、図３に示す表に表すような流量Ｂを段階的にわけて対応する乖離幅判定値を抽出したものでもよいし、流量Ｂに所定の係数を掛けて乖離幅判定値を算出しても同様の効果が得られる。なお図３の表は乖離幅判定値を抽出するための一例であり、乖離幅判定値は利便性や安全性に基づき０Ｌ／ｈを含め自由にその値を変更しても良い。また係数も同様に０としてもよい）と乖離値Ｈを判定し、乖離幅判定値以上（例えば、流量Ｂが１５０Ｌ／ｈであれば乖離幅判定値は５Ｌ／ｈ）の乖離値Ｈがなければ乖離値Ｈをゼロとし、乖離幅判定値以上の乖離値Ｈがあれば乖離値Ｈを出力する。
【００２０】
増減補正部１８は、乖離判定部１７の乖離値Ｈを取得し、乖離値Ｈがゼロでなければ増減判定部１４が複数保持している中から少なくとも一番大きな（例えば、複数保持しているものを全て取得して、その中から一番大きな変化量Ｃを抽出しても同等の効果が得られる）変化量Ｃを取得し（例えば、図２（ｃ）のガスの総使用量が減少した時点では「器１」と「器３」のデータとなる）、増減判定部１４から取得した一番大きな変化量Ｃ（例えば、図２（ｃ）のガスの総使用量（＝流量Ｂ）が減少した時点で取得した「器１」「器３」では「器３」が大きいので「器３」となる）に乖離値Ｈ（補正量）の分を加減算（なお安全性を向上させるのを主とした場合には加算側のみを、利便性を向上させるのを主とする場合には減算側のみのどちらか一方に絞りこんでもよい）して補正して補正済み変化量Ｇ（例えば、図２（ｃ）では「器３＋補正量」となる）を出力する。
【００２１】
増減判定部１４は、増減算出部１３が出力した変化量Ｃが増加量であれば新たなガス器具の使用を開始したとして変化量Ｃを追加して保持し、減少量であればガス器具の使用を停止したとして保持している中で一番近しい（例えば、保持している変化量Ｃ全てと減少量を比較し差分が一番少ないものでもよい）変化量Ｃを削除しながら複数の変化量Ｃを管理して増減処理済信号Ｆ出力し、増減補正部１８の補正済み変化量Ｇを取得すると保持している一番大きな変化量Ｃを削除して補正済み変化量Ｇを新たな変化量Ｃとして保持して、複数保持している変化量Ｃを大きなものから順番にならべ直し（増減補正部１８で、一番大きな変化量Ｃに加算補正した場合は、補正前の一番大きな変化量Ｃよりも補正済み変化量Ｇの方が大きくなるので複数保持している２番目に大きな変化量Ｃよりも確実に大きい補正済み変化量Ｇとなる。
【００２２】
一方、一番大きな変化量Ｃを減算補正した場合は、補正前の一番大きな変化量Ｃよりも補正済み変化量Ｇの方が小さくなる。このため、引き続き補正済み変化量Ｇが一番大きな変化量Ｃになる場合もあれば、複数保持している中の２番目に大きな変化量Ｃの方が補正済み変化量Ｇよりも大きくなる場合もある（減算補正した補正量の大きさによってはｎ番目までの変化量Ｃの方が補正済み変化量Ｇよりも大きくなることも考えられる。
【００２３】
すなわち、補正前には４００Ｌ／ｈ、３５０Ｌ／ｈ、３００Ｌ／ｈ、２００Ｌ／ｈの４つの変化量Ｃを保持していたとしたときに１５０Ｌ／ｈの乖離幅Ｈが検出された場合、補正済み変化量は４００Ｌ／ｈ−１５０Ｌ／ｈ＝２５０Ｌ／ｈとなる。この場合２番目に大きな変化量Ｃの３５０Ｌ／ｈの方が大きいし、さらに３番目に大きな変化量Ｃの３００Ｌ／ｈの方が大きいこととなり、ならべ直すと３５０Ｌ／ｈ、３００Ｌ／ｈ、２５０Ｌ／ｈ，２００Ｌ／ｈとなる。
【００２４】
なお、乖離幅Ｈが２０Ｌ／ｈの場合は、４００Ｌ／ｈ−１５０Ｌ／ｈ＝３８０Ｌ／ｈとなり、ならべ直すと３８０Ｌ／ｈ，３５０Ｌ／ｈ、３００Ｌ／ｈ、２００Ｌ／ｈとなり、この場合は引き続き補正済み変化量Ｇが一番大きな変化量Ｃとなる）。よって補正済み変化量Ｇを複数登録している内の１つの変化量Ｃとして登録し、その後大きな順番にならべ直す必要がある）、ならべ直したあと保持している一番大きな変化量Ｃに基づき使用時間を抽出するとともに計時を開始し、再び増減算出部１３の変化量Ｃを取得する前に使用時間が経過（例えば、一番大きな変化量Ｃのみを重要視する場合は、増減算出部１３から取得した変化量Ｃが一番大きな変化量Ｃとならなかった場合には計時を続けてもよい）すると弁駆動信号Ｄを出力する。
【００２５】
弁駆動部１５は、増減判定部１４の弁駆動信号Ｄを受け取ると閉栓信号Ｅを出力し、弁１６は、弁駆動部１５の閉栓信号Ｅを受け取るとガス通路を閉栓する。
【００２６】
以上のように、本実施の形態においては増減判定部１４で乖離判定部１７の乖離値Ｈに基づき増減補正部１８が算出した補正済み変化量Ｇを新た変化量Ｃとして保持し、流量算出部１２の流量Ｂと増減判定部１４が保持している複数の変化量Ｃの和との整合を取ることで齟齬と乖離を防止することができる。
【００２７】
（実施の形態２）
図１は、本発明の実施の形態２におけるガス遮断装置の機能ブロック図を示すものである。なお、実施の形態１と同一の記号のものは同一の機能のため説明を省略する。また乖離判定部１７は実施の形態２では含まれない。
【００２８】
常時乖離判定部１９は、増減算出部１３の変化量Ｃを受け取ると流量算出部１２の流量Ｂを取得して基準値として保持し、新たな流量算出部１２の流量Ｂを取得するごとに基準値との差を乖離値Ｈとして算出し、流量算出部１２の流量Ｂの大きさに基づいて抽出した乖離幅判定値（例えば、図３の表に表すような流量Ｂを段階的にわけて対応する乖離幅判定値を抽出したものでもよいし、流量Ｂに所定の係数を掛けて乖離幅判定値を算出しても同様の効果が得られる。なお図３の表は乖離幅判定値を抽出するための一例であり、乖離幅判定値は利便性や安全性に基づき０Ｌ／ｈを含め自由にその値を変更しても良い。また係数も同様に０としてもよい）と乖離値Ｈを判定し、乖離幅判定値以上（例えば、流量Ｂが１５０Ｌ／ｈであれば乖離幅判定値は５Ｌ／ｈ）の乖離値Ｈがなければ乖離値Ｈをゼロとし、乖離幅判定値以上の乖離値Ｈがあれば乖離値Ｈを出力し流量算出部１２の流量Ｂを再び取得して基準値とする。
【００２９】
増減補正部１８は実施の形態１で乖離判定部１７から乖離値Ｈを取得していたが、常時乖離判定部１９から乖離値Ｈを取得する。
【００３０】
増減判定部１４は増減処理済信号Ｆを出力しない。また使用時間が増減算出部１３の変化量Ｃまたは増減補正部１８の補正済み変化量Ｇの少なくともどちらか一方を取得する前に経過（例えば、一番大きな変化量Ｃのみを重要視する場合は、増減算出部１３から取得した変化量Ｃや補正済み変化量Ｇが一番大きな変化量Ｃとならなかった場合には計時を続けてもよい）すれば弁駆動信号Ｄを出力する（例えば、図２（ｃ）のガスの総使用量が基準値から所定値以上の差が発生した時点で取得したのが「器１」「器３」とすると（ガスの総使用量（＝流量Ｂ）が減少したときにガスの総使用量とガス遮断装置（増減判定部１４）が複数保持している変化量Ｃの和との差が発生しておらず、その後増減算出部１３で変化を検出できずに徐々にガスの総使用量（＝流量Ｂ）が減少していった場合を想定している）、「器１」と「器３」が大きいので「器３」が一番大きな変化量Ｃとなり、補正済み変化量Ｇは「器３＋補正量」となる）。
【００３１】
以上のように、本実施の形態においては増減判定部１４で常時乖離判定部１９の乖離値Ｈに基づき増減補正部１８が算出した補正済み変化量Ｇを新たな変化量Ｃとして保持し、常時乖離判定部１９が常に流量算出部１２の流量Ｂと増減補正部１８を介して増減判定部１４が保持している複数の変化量Ｃの和との整合を取ることで齟齬と乖離を防止することができる。
【００３２】
実施の形態１、２おいて、実施の形態１では大きくガスの総使用量に変化が発生した場合を、実施の形態２では大きなガスの総使用量の変化がない場合において、それぞれガスの総使用量（＝流量Ｂ）とガス遮断装置が複数保持している変化量Ｃの和とに差が発生したことを総使用量（＝流量Ｂ）の大きさに基づき段階的に判定して検知し、是正することが可能となり齟齬と乖離を防止することができる。
【００３３】
この是正により一番大きな変化量Ｃを削除し補正済み変化量Ｇを新たな変化量Ｃとして保持することで実際に使用している最大のガス器具の使用量よりもガス遮断装置が保持している一番大きな変化量Ｃの方が大きくなる可能性があるが、仮に大きくなってもガス通路を閉栓するまでの時間が短くなるため、ガス器具のつけっ放しを早めに停止できるので安全性を確保することができる。
【００３４】
なお、実施の形態１と実施の形態２を合わせて実施することも可能である。
【産業上の利用可能性】
【００３５】
以上のように、本発明にかかるガス遮断装置は従来のガスの総使用量の増減によりガス器具使用の有無を推定することに合わせて、実際のガス総使用量とガス遮断装置が複数保持している変化量の和とに齟齬と乖離が発生すると是正することが可能となり、安全性を確保して利便性を向上させることができるのでガスを電気や水等に置き換えれば、電気メータや水道メータ等の用途にも適用できる。
【図面の簡単な説明】
【００３６】
【図１】本発明の実施の形態１、２におけるガス遮断装置の機能ブロック図
【図２】（ａ）ガスの使用パターンを示す図、（ｂ）ガスの使用パターンと従来のガス遮断装置が保持している変化量を表した図、（ｃ）ガスの使用パターンと本実施の形態１，２のガス遮断装置が保持している変化量を表した図
【図３】流量算出部の流量と乖離幅判定値の関係を表した表を示す図
【図４】従来のガス遮断装置の機能ブロック図
【符号の説明】
【００３７】
１１  流量検出部
１２  流量算出部
１３  増減算出部
１４  増減判定部
１５  弁駆動部
１６  弁
１７  乖離判定部
１８  増減補正部
１９  常時乖離判定部
【図１】
2010216716.tif 000003
【図３】
2010216716.tif 000004
【図４】
2010216716.tif 000005
【図２】
2010216716.tif 000006